(57)【要約】【課題】変圧器に単巻トランスを用いることで、風量を調整することができ、小さく軽い送風機および送風システムを提供する。【解決手段】送風機は、電圧変圧部と、モータと、を備える。電圧変圧部は、３相の交流電源の３つの線間にそれぞれ接続され、交流電源の電圧を変える単巻トランスを有する。モータは、電圧変圧部から供給された電力で羽根車を回転する。送風システム１は、第１の送風機１１０および第２の送風機１２０と、第１の送風機１１０のモータと第２の送風機１２０のモータに供給する電圧を制御する制御部２１０と、を備える。第１の送風機１１０は、第２の送風機１２０より低い位置に配置される。制御部２１０は、作物の成長点の高さを検出する成長点検出部と、成長点検出部が検出した作物の成長点に応じて、第１の送風機１１０と第２の送風機１２０のモータに供給する電圧を制御する風量制御部と、を備える。【選択図】図１
2019152123.tif 000002
【特許請求の範囲】
【請求項１】
３相の交流電源の３つの線間にそれぞれ接続され、交流電源の電圧を変える単巻トランスを有する電圧変圧部と、
前記電圧変圧部から供給された電力で羽根車を回転するモータと、
を備えることを特徴とする送風機。
【請求項２】
前記電圧変圧部は、第１の切替スイッチと第２の切替スイッチを有し、
前記単巻トランスは、巻き線の一端に設けられた第１の入力端と前記巻き線の他端に設けられた第２の入力端と、前記第１の入力端と前記第２の入力端の間に設けられたタップとを有し、
前記第１の切替スイッチの一端は、前記タップに接続され、他端は前記モータに接続され、
前記第２の切替スイッチの一端は、前記第２の入力端に接続され、他端は前記モータに接続される、
ことを特徴とする請求項１に記載の送風機。
【請求項３】
請求項２に記載の送風機から構成される第１の送風機および第２の送風機と、
前記第１の送風機のモータと前記第２の送風機のモータに供給する電圧を制御する制御部と、を備え、
前記第１の送風機は、前記第２の送風機より低い位置に配置され、
前記制御部は、
作物の成長点の高さを検出する成長点検出部と、
前記成長点検出部が検出した前記作物の成長点に応じて、前記第１の送風機と前記第２の送風機のモータに供給する電圧を制御する風量制御部と、
を備えることを特徴とする送風システム。
【請求項４】
前記成長点検出部は、作物を撮像した画像を取得し、該画像に写る作物の最も高い位置を検出し、この位置に基づいて作物の成長点を検知する、
ことを特徴とする請求項３に記載の送風システム。
【請求項５】
前記風量制御部は、前記第１の切替スイッチと前記第２の切替スイッチを切り替え、前記モータに供給する電圧を制御する、
ことを特徴とする請求項３または４に記載の送風システム。
【請求項６】
前記成長点検出部が、前記第１の送風機より低い位置に前記作物の成長点を検出すると、前記風量制御部は、前記第２の送風機の送風を停止する、
ことを特徴とする請求項３から５のいずれか一項に記載の送風システム。
【請求項７】
前記成長点検出部が、前記第１の送風機より高く、前記第１の送風機の高さと前記第２の送風機の高さとの中間の高さより低い位置に前記作物の成長点を検出すると、前記風量制御部は、前記第１の送風機に前記第２の送風機が送風する風より強い風を送風させる、
ことを特徴とする請求項３から６のいずれか一項に記載の送風システム。
【請求項８】
施設園芸ハウスの天井に配置された距離計を備え、
前記成長点検出部は、前記距離計から作物までの距離に基づいて、前記作物の成長点の高さを検出する、
ことを特徴とする請求項３から７のいずれか一項に記載の送風システム。
【発明の詳細な説明】
【技術分野】
【０００１】
本発明は、送風機および送風システムに関する。
【背景技術】
【０００２】
施設園芸ハウス、牛舎、豚舎、鶏舎などでは、空気調和、環境改善、生産調整等の目的で、複数の送風機から構成される送風システムが用いられている。このような送風機は、羽根車を回転するモータの回転数を制御して風量を変えている。モータの回転数を制御する装置として、電源の周波数を変えるインバータ、電源の電圧を変換する変圧器などが用いられる。インバータは、精密に制御することができるが、装置の構造が複雑であるためコストが掛かるという問題がある。
【０００３】
特許文献１は、１次側給電線と２次側給電線とが独立して巻かれている二巻変圧器を３台用いた三相変圧器を開示している。２次側給電線の巻き数は、１次側給電線の巻き数と同じである。この三相変圧器は、１台の変圧機が故障した場合、１次側給電線と２次側給電線との間にバイパス回路を形成して、電源から負荷に給電するものである。
【０００４】
ことに、特許文献１は、送風機の風量調整が、例えば、ハウスにおける作物の生育に如何なる影響を与えるか、又は逆に生育を阻害するかの問題に関しては、何ら開示もなく示唆するところもない。
【先行技術文献】
【特許文献】
【０００５】
【特許文献１】実開昭６１−１２９３１５号公報
【発明の概要】
【発明が解決しようとする課題】
【０００６】
特許文献１に開示された三相変圧器に用いられている二巻変圧器は、大きく重い。殊に、三相となるとより大きく重くなる。従って、送風機に、この種の三相変圧器を用いると、送風機が大きく重くなるという問題がある。また、特許文献１に開示された三相変圧器は、電圧を変換するものではないため、この三相変圧機を用いて送風機の風量を調整することは容易でない。
【０００７】
本発明は、上記実情に鑑みてなされたものであり、風量を調整することができ、小さく軽い送風機および送風システムを提供することを目的とする。
【課題を解決するための手段】
【０００８】
上記目的を達成するため、本発明に係る送風機は、
３相の交流電源の３つの線間にそれぞれ接続され、交流電源の電圧を変える単巻トランスを有する電圧変圧部と、
前記電圧変圧部から供給された電力で羽根車を回転するモータと、
を備えることを特徴とする。
このようにすることで、風量を調整することができ、小さく軽い送風機を提供することができる。
【０００９】
前記電圧変圧部は、第１の切替スイッチと第２の切替スイッチを有し、
前記単巻トランスは、巻き線の一端に設けられた第１の入力端と前記巻き線の他端に設けられた第２の入力端と、前記第１の入力端と前記第２の入力端の間に設けられたタップとを有し、
前記第１の切替スイッチの一端は、前記タップに接続され、他端は前記モータに接続され、
前記第２の切替スイッチの一端は、前記第２の入力端に接続され、他端は前記モータに接続されるとよい。
このようにすることで、切替スイッチが、タップまたは第２の入力端とモータとの接続を切り替えることにより、風量を調整することができる。
【００１０】
上記目的を達成するため、本発明に係る送風システムは、
前記送風機から構成される第１の送風機および第２の送風機と、
前記第１の送風機のモータと前記第２の送風機のモータに供給する電圧を制御する制御部と、を備え、
前記第１の送風機は、前記第２の送風機より低い位置に配置され、
前記制御部は、
作物の成長点の高さを検出する成長点検出部と、
前記成長点検出部が検出した前記作物の成長点に応じて、前記第１の送風機と前記第２の送風機のモータに供給する電圧を制御する風量制御部と、
を備える、ことを特徴とする。
このようにすることで、作物の成長点に効率よく風を送ることができる。
【００１１】
前記成長点検出部は、作物を撮像した画像を取得し、該画像に写る作物の最も高い位置を検出し、この位置に基づいて作物の成長点を検知するとよい。
このようにすることで、作物の成長点を自動的に検出することができ、風量の調整に手間が掛からない。
【００１２】
前記風量制御部は、前記第１の切替スイッチと前記第２の切替スイッチを切り替え、前記モータに供給する電圧を制御するとよい。
このようにすることで、送風機から送風される風量を調整することができる。
【００１３】
前記成長点検出部が、前記第１の送風機より低い位置に前記作物の成長点を検出すると、前記風量制御部は、前記第２の送風機の送風を停止するとよい。
このようにすることで、作物の成長点に関係のない部分に送風しないことにより、節電することができる。
【００１４】
前記成長点検出部が、前記第１の送風機より高く、前記第１の送風機の高さと前記第２の送風機の高さとの中間の高さより低い位置に前記作物の成長点を検出すると、前記風量制御部は、第１の送風機に第２の送風機が送風する風より強い風を送風させるとよい。
このようにすることで、作物の成長点に効率的に送風することができる。
【００１５】
施設園芸ハウスの天井に配置された距離計を備え、
前記成長点検出部は、前記距離計から作物までの距離に基づいて、前記作物の成長点の高さを検出するとよい。
このようにすることで、作物の成長点を正確に検出することができる。
【発明の効果】
【００１６】
本発明によれば、変圧器に単巻トランスを用いることで、風量を調整することができ、小さく軽い送風機および送風システムを提供することができる。
【図面の簡単な説明】
【００１７】
【図１】本発明の実施の形態に係る送風システムを示す図である。
【図２】本発明の実施の形態に係る送風システムを示すブロック図である。
【図３】本発明の実施の形態に係る送風機の回路図である。
【図４】本発明の実施の形態に係る送風処理を示すフローチャートである。
【図５】本発明の実施の形態に係る送風システムの動作を示す図である。
【図６Ａ】変形例に係る電圧変圧部を示す図である。
【図６Ｂ】変形例に係る電圧変圧部を示す図である。
【図７】変形例に係る送風システムを示す図である。
【発明を実施するための形態】
【００１８】
以下、本発明を実施するための形態に係る送風機および送風システムについて、図面を参照しながら説明する。
【００１９】
本実施の形態に係る送風システム１は、図１に示すように、第１の送風機１１０、第２の送風機１２０および第３の送風機１３０と、第１〜第３の送風機１１０〜１３０を制御する制御部２１０と、作物Ｓの成長点Ｐを検知する検知部２２０と、を備える。送風システム１は、施設園芸ハウス内に設置され、作物Ｓの成長点Ｐに重点的に送風するために用いられるものである。作物Ｓの成長点Ｐに送風することで、作物Ｓの成長を促進することができる。
【００２０】
第１の送風機１１０は、第２の送風機１２０より低い位置に取り付けられている。第２の送風機１２０は、第３の送風機１３０より低い位置に取り付けられている。第１〜第３の送風機１１０〜１３０は、それぞれ羽根車１１２ｈ〜１３２ｈを有し、水平方向に送風する。第１〜第３の送風機１１０〜１３０が、異なる高さに送風することにより、送風システム１は、作物Ｓが成長して成長点Ｐの高さが変わったとしても、作物Ｓの成長点Ｐに応じた高さに風を送ることができる。
【００２１】
第１〜第３の送風機１１０〜１３０は、図２に示すように、それぞれ、第１〜第３の電圧変圧部１１１〜１３１と、第１〜第３の電圧変圧部１１１〜１３１から供給された電力で回転する第１〜第３のモータ１１２〜１３２と、を備える。第１〜第３のモータ１１２〜１３２の回転軸には、図１に示す羽根車１１２ｈ〜１３２ｈが取り付けられている。
【００２２】
つぎに、第１の送風機１１０について詳細に説明する。第１の電圧変圧部１１１は、図３に示すように、３相の交流電源３００のＲ相、Ｔ相およびＳ相の間にそれぞれ接続された第１〜第３の単巻トランス１１３ａ〜１１３ｃと、第１〜第３の切替スイッチ群１１４ａ〜１１４ｃと、を有し、３相の交流電源３００から出力された電圧と異なる電圧を出力する。なお、第２と第３の送風機１２０、１３０は、第１の送風機１１０と同様の構成を有する。
【００２３】
第１〜第３の単巻トランス１１３ａ〜１１３ｃは、１次巻線と２次巻線の一部が共用されているトランスから構成され、それぞれ第１の入力端１１５ａ〜１１５ｃと、第１のタップ１１６ａ〜１１６ｃと、第２のタップ１１７ａ〜１１７ｃと、第２の入力端１１８ａ〜１１８ｃと、を備える。第１〜第３の単巻トランス１１３ａ〜１１３ｃの大きさは、例えば５．６ｃｍ×５．０ｃｍ×４．９ｃｍであり、質量は、例えば５５０ｇである。第１の単巻トランス１１３ａの第１の入力端１１５ａと第３の単巻トランス１１３ｃの第２の入力端１１８ｃは、交流電源３００のＲ相に接続される。第１の単巻トランス１１３ａの第２の入力端１１８ａと第２の単巻トランス１１３ｂの第１の入力端１１５ｂは、交流電源３００のＴ相に接続される。第２の単巻トランス１１３ｂの第２の入力端１１８ｂと第３の単巻トランス１１３ｃの第１の入力端１１５ｃは、交流電源３００のＳ相に接続される。第１のタップ１１６ａ〜１１６ｃと第２のタップ１１７ａ〜１１７ｃは、第１の入力端１１５ａ〜１１５ｃと第２の入力端１１８ａ〜１１８ｃの間に配置される。第１の入力端１１５ａ〜１１５ｃと第２の入力端１１８ａ〜１１８ｃに２００Ｖの交流電圧が印加されると、第１の入力端１１５ａ〜１１５ｃと第１のタップ１１６ａ〜１１６ｃとの間には、５８Ｖの交流電圧が発生する。第１の入力端１１５ａ〜１１５ｃと第２のタップ１１７ａ〜１１７ｃとの間には、１０１Ｖの交流電圧が発生する。
【００２４】
第１〜第３の切替スイッチ群１１４ａ〜１１４ｃは、第１〜第３の単巻トランス１１３ａ〜１１３ｃと、第１のモータ１１２と、の間に配置され、後述する制御部２１０に制御され、第１〜第３の単巻トランス１１３ａ〜１１３ｃから出力される交流電圧を切り替えるものである。第１の切替スイッチ群１１４ａは、切替スイッチ１１４ａ１〜１１４ａ３を備える。切替スイッチ１１４ａ１の一端は、第１の単巻トランス１１３ａの第１のタップ１１６ａに接続され、他端は第１のモータ１１２のＶ相に接続される。切替スイッチ１１４ａ２の一端は、第１の単巻トランス１１３ａの第２のタップ１１７ａに接続され、他端は第１のモータ１１２のＶ相に接続される。切替スイッチ１１４ａ３の一端は、第１の単巻トランス１１３ａの第２の入力端１１８ａに接続され、他端は第１のモータ１１２のＶ相に接続される。第１の入力端１１５ａは、第１のモータ１１２のＵ相に接続される。第２、第３の切替スイッチ群１１４ｂ、１１４ｃは、第１の切替スイッチ群１１４ａと同様に第２、第３の単巻トランス１１３ｂ、１１３ｃと第１のモータ１１２に接続されている。即ち、切替スイッチ１１４ａ１〜１１４ｃ３を操作して、第１〜第３の単巻トランス１１３ａ〜１１３ｃから出力される電圧を切り替える。
【００２５】
切替スイッチ１１４ａ１、１１４ｂ１、１１４ｃ１が、制御部２１０の制御により、ＯＮになると、交流電源３００から出力された２００Ｖ、５０Ｈｚの交流電圧は、第１〜第３の単巻トランス１１３ａ〜１１３ｃで５８Ｖの交流電圧に変換されて第１のモータ１１２に出力される。モータ１１２の回転数は、例えば７００ｒｐｍである。この場合、第１の送風機１１０は、第１の風量である弱い風を送る。切替スイッチ１１４ａ２、１１４ｂ２、１１４ｃ２がＯＮになると、交流電源３００から出力された２００Ｖの交流電圧は、第１〜第３の単巻トランス１１３ａ〜１１３ｃで１０１Ｖの交流電圧に変換されて第１のモータ１１２に出力される。モータ１１２の回転数は、例えば１１００ｒｐｍである。この場合、第１の送風機１１０は、第１の風量より強い第２の風量で風を送る。切替スイッチ１１４ａ３、１１４ｂ３、１１４ｃ３がＯＮになると、交流電源３００から出力された２００Ｖの交流電圧は、そのまま第１のモータ１１２に出力される。モータ１１２の回転数は、例えば１４００ｒｐｍである。この場合、第１の送風機１１０は、第２の風量より強い第３の風量で風を送る。切替スイッチ１１４ａ１〜１１４ｃ３が全てＯＦＦになると、送風は停止される。同様に、第２と第３の送風機１２０、１３０は、制御部２１０の制御により、送風停止、および第１〜第３の風量で送風することができる。
【００２６】
検知部２２０は、作物Ｓを撮像するカメラから構成され、第２の送風機１２０と第３の送風機１３０との間に配置されている。検知部２２０が撮像した画像は、制御部２１０に送信される。
【００２７】
制御部２１０は、ＣＰＵ（Central Processing Unit）、ＲＯＭ（Read Only Memory）、ＲＡＭ（Random Access Memory）から構成される。制御部２１０は、ＣＰＵがＲＯＭに記憶されたプログラムを読み出してＲＡＭ上で実行することにより、成長点検出部２１１と、風量制御部２１２として機能する。
【００２８】
成長点検出部２１１は、検知部２２０が撮像した作物Ｓの画像を取得し、ＲＡＭに保存する。成長点検出部２１１は、検知部２２０が撮像した画像に写る作物Ｓの成長点Ｐの高さを検出する。まず、成長点検出部２１１は、公知の手法を用いて、作物Ｓを検出する。例えば、検知部２２０が撮像した画像内で、予めＲＯＭに記憶した作物Ｓのテンプレートに合致する部分を作物Ｓとして検出する。つぎに、成長点検出部２１１は、画像中で作物Ｓとして検出した最も高い部分を成長点Ｐとして検出する。つぎに、成長点検出部２１１は、作物Ｓの成長点Ｐが以下に示すいずれの基準高さ範囲に属するか検出する。
【００２９】
第１の基準高さ範囲Ｚ１は、図１に示す第１の送風機１１０の高さ未満である範囲である。第２の基準高さ範囲Ｚ２は、第１の送風機１１０の高さ以上であり、第１の送風機１１０と第２の送風機１２０の中間の高さ未満である範囲である。第３の基準高さ範囲Ｚ３は、第１の送風機１１０と第２の送風機１２０の中間の高さ以上であり、第２の送風機１２０の高さ未満である範囲である。第４の基準高さ範囲Ｚ４は、第２の送風機１２０の高さ以上であり、第２の送風機１２０と第３の送風機１３０の中間の高さ未満である範囲である。第５の基準高さ範囲Ｚ５は、第２の送風機１２０と第３の送風機１３０の中間の高さ以上であり、第３の送風機１３０の高さ未満である範囲である。第６の基準高さ範囲Ｚ６は、第３の送風機１３０の高さ以上の範囲である。
【００３０】
風量制御部２１２は、成長点検出部２１１が検出した作物Ｓの成長点Ｐが属する基準高さ範囲に応じて、第１〜第３の送風機１１０〜１３０の風量を表１に示すように制御する。例えば、成長点検出部２１１が作物Ｓの成長点Ｐを第１の基準高さ範囲Ｚ１に含まれるとすると、風量制御部２１２は、第１の電圧変圧部１１１に含まれる切替スイッチ１１４ａ２、１１４ｂ２、１１４ｃ２をＯＮにする。切替スイッチ１１４ａ２、１１４ｂ２、１１４ｃ２がＯＮになると、交流電源３００から出力された２００Ｖの交流電圧は、単巻トランス１１３ａ〜１１３ｃで１０１Ｖの交流電圧に変換されて第１のモータ１１２に出力され、第１の送風機１１０は、第２の風量で送風する。また、風量制御部２１２は、第２と第３の電圧変圧部１２１、１３１に含まれる切替スイッチを全てＯＦＦにし、第２と第３の送風機１２０、１３０の送風を停止する。成長点検出部２１１が作物Ｓの成長点Ｐを第４の基準高さ範囲Ｚ４に含まれるとすると、風量制御部２１２は、第１の電圧変圧部１１１に含まれる切替スイッチ１１４ａ１、１１４ｂ１、１１４ｃ１をＯＮにする。切替スイッチ１１４ａ１、１１４ｂ１、１１４ｃ１が、ＯＮになると、交流電源３００から出力された２００Ｖの交流電圧は、単巻トランス１１３ａ〜１１３ｃで５８Ｖの交流電圧に変換されて第１のモータ１１２に出力される。これにより、第１の送風機１１０は、第１の風量で送風する。また、風量制御部２１２は、２００Ｖの交流電圧が第２のモータ１２２に出力され、１０１Ｖの交流電圧が第３のモータ１３２に出力されるように、第２と第３の電圧変圧部１２１、１３１に含まれる切替スイッチを制御する。これにより、第２の送風機１２０は、第３の風量で送風し、第３の送風機１３０は、第２の風量で送風する。
【００３１】
【表１】
2019152123.tif 000003
【００３２】
ＲＯＭは、フラッシュメモリ等の不揮発性メモリから構成され、制御部２１０が各種機能を実現するためのプログラム、作物Ｓのテンプレート、および表１に示す作物Ｓの成長点Ｐに応じた第１〜第３の送風機１１０〜１３０の風量を示すデータを記憶する。ＲＡＭは、揮発性メモリから構成され、制御部２１０が各種処理を行うためのプログラムを実行するための作業領域として用いられる。また、ＲＡＭは、作物Ｓの画像を示す情報を記憶する。
【００３３】
つぎに、以上の構成を有する送風システム１が実行する送風処理についてフローチャートを用いて説明する。
【００３４】
送風システム１は、ユーザによる処理を開始させる指示に応答し、図４に示す送風処理を開始する。
【００３５】
まず、成長点検出部２１１は、検知部２２０が撮像した作物Ｓの画像を取得し（ステップＳ１０１）、この画像をＲＡＭに保存する。つぎに、成長点検出部２１１は、画像に写る作物Ｓの成長点Ｐを検出する（ステップＳ１０２）。例えば、画像内で、予めＲＯＭに記憶した作物Ｓのテンプレートに合致する部分を作物Ｓとして検出する。つぎに、成長点検出部２１１は、画像中で作物Ｓとして検出した最も高い部分を成長点Ｐとして検出する。つぎに、成長点検出部２１１は、作物Ｓの成長点Ｐがいずれの基準高さ範囲に属するか判定する（ステップＳ１０３）。
【００３６】
つぎに、風量制御部２１２は、成長点検出部２１１が検出した作物Ｓの成長点Ｐが属する基準高さ範囲に応じて、第１〜第３の送風機１１０〜１３０の風量を表１に示すように制御する（ステップＳ１０４）。つぎに、送風処理を終了する指示が入力されているか否かを判定する（ステップＳ１０５）。送風処理を終了する指示が入力されていない場合（ステップＳ１０５；Ｎｏ）、ステップＳ１０１に戻り、ステップＳ１０１〜ステップＳ１０５を繰り返す。ステップＳ１０１〜ステップＳ１０５を繰り返す周期は、作物の成長速度に応じて決定されるとよく、例えば、１日、１週間などである。送風処理を終了する指示が入力された場合（ステップＳ１０５；Ｙｅｓ）、送風処理を終了する。
【００３７】
つぎに、本実施の形態に係る送風システム１が実行する処理を具体例に基づいて図１および図５を参照しながら説明する。
【００３８】
まず、図１に示すように、施設園芸ハウス内で作物Ｓが育っている例について説明する。送風システム１は、ユーザによる処理を開始させる指示に応答し、送風処理を開始する。まず、成長点検出部２１１は、上下、及び／又は、左右方向等の如く、広範囲に、移動できる検知部２２０が撮像した作物Ｓの画像を取得し（ステップＳ１０１；図４）、この画像をＲＡＭに保存する。つぎに、成長点検出部２１１は、画像に写る作物Ｓの成長点Ｐの高さを検出する（ステップＳ１０２；図４）。つぎに、成長点検出部２１１は、作物Ｓの成長点Ｐがいずれの基準高さ範囲に属するか判定する（ステップＳ１０３；図４）。ここでは、成長点検出部２１１は、作物Ｓの成長点Ｐが、第１の基準高さ範囲Ｚ１に属すると判定する。
【００３９】
つぎに、風量制御部２１２は、作物Ｓの成長点Ｐが属する第１の基準高さ範囲Ｚ１に応じて、第１〜第３の送風機１１０〜１３０の風量を表１に示すように制御する（ステップＳ１０４；図４）。具体的には、風量制御部２１２は、第１の電圧変圧部１１１に含まれる切替スイッチ１１４ａ２、１１４ｂ２、１１４ｃ２をＯＮにする。切替スイッチ１１４ａ２、１１４ｂ２、１１４ｃ２がＯＮになると、交流電源３００から出力された２００Ｖの交流電圧は、単巻トランス１１３ａ〜１１３ｃで１０１Ｖの交流電圧に変換されて第１のモータ１１２に出力され、第１の送風機１１０は、第２の風量で送風する。風量制御部２１２は、第２と第３の電圧変圧部１２１、１３１に含まれる切替スイッチを全てＯＦＦにし、第２と第３の送風機１２０、１３０の送風を停止する。送風処理を終了する指示が入力されるまで、ステップＳ１０１に戻り、ステップＳ１０１〜ステップＳ１０５を繰り返す。送風処理を終了する指示が入力された場合（ステップＳ１０５；Ｙｅｓ；図４）、送風処理を終了する。
【００４０】
つぎに、図５に示すように、施設園芸ハウス内で作物Ｓが育つと、成長点検出部２１１は、作物Ｓの成長点Ｐが第４の基準高さ範囲Ｚ４に属すると判定する（ステップＳ１０３；図４）。風量制御部２１２は、作物Ｓの成長点Ｐが属する第４の基準高さ範囲Ｚ４に応じて、第１〜第３の送風機１１０〜１３０の風量を表１に示すように制御する（ステップＳ１０４；図４）。具体的には、風量制御部２１２は、第１の電圧変圧部１１１に含まれる切替スイッチ１１４ａ１、１１４ｂ１、１１４ｃ１をＯＮにする。切替スイッチ１１４ａ１、１１４ｂ１、１１４ｃ１が、ＯＮになると、交流電源３００から出力された２００Ｖの交流電圧は、単巻トランス１１３ａ〜１１３ｃで５８Ｖの交流電圧に変換されて第１のモータ１１２に出力される。これにより、第１の送風機１１０は、第１の風量で送風する。同様に、風量制御部２１２は、２００Ｖの交流電圧が第２のモータ１２２に出力され、１０１Ｖの交流電圧が第３のモータ１３２に出力されるように、第２と第３の電圧変圧部１２１、１３１に含まれる切替スイッチを制御する。これにより、第２の送風機１２０は、第３の風量で送風し、第３の送風機１３０は、第２の風量で送風する。
【００４１】
上記構成を有する送風システム１は、作物Ｓの成長点Ｐに重点的に送風でき、作物Ｓの成長を促進することができる。送風システム１では、成長点検出部２１１により作物Ｓの成長点Ｐの高さを検出し、風量制御部２１２により作物Ｓの成長点Ｐが属する基準高さ範囲に応じて、第１〜第３の送風機１１０〜１３０の風量を制御することができる。これにより、ユーザにより第１〜第３の送風機１１０〜１３０の風量を調整する手間を省くことができる。また、第１〜第３の送風機１１０〜１３０が備える第１〜第３の電圧変圧部１１１〜１３１は、第１〜第３の単巻トランス１１３ａ〜１１３ｃと第１〜第３の切替スイッチ群１１４ａ〜１１４ｃとから構成されるため、軽量で小型化が可能で有り、コストも抑えることができる。例えば、第１〜第３の単巻トランス１１３ａ〜１１３ｃの大きさが、５．６ｃｍ×５．０ｃｍ×４．９ｃｍ、容積が１３７．２ｃｍ３、質量が５５０ｇであるとし、第１〜第３の単巻トランス１１３ａ〜１１３ｃと同等の性能を有する従来の２巻きトランスに置き換えると、２巻きトランスの大きさは、１７．０ｃｍ×１０．０ｃｍ×１６．５ｃｍ、容積は２８０５．０ｃｍ３、質量は６．５ｋｇである。第１〜第３の単巻トランス１１３ａ〜１１３ｃを用いた場合と、従来の２巻きトランスを用いた場合を比較すると、容積比は、（１３７．２ｃｍ３×３）／２８０５．０ｃｍ３＝１／６．８≒１／７であり、質量比は、（５５０ｇ×３）／６．５ｋｇ＝０．２５４≒１／４である。この例では、従来のトランスを第１〜第３の単巻トランス１１３ａ〜１１３ｃに置き換えると、容積比で１／７、質量比で１／４、小型で軽量な装置で風量を調整できる。
【００４２】
（変形例）
上述の実施の形態では、第１〜第３のモータ１１２〜１３２に出力される電圧が制御部２１０に制御される例について説明した。第１〜第３のモータ１１２〜１３２に出力される電圧は、図６Ａおよび図６Ｂに示すように、つまみ１４０で切り替えられる手動スイッチ１４１により切り替えられてもよい。手動スイッチ１４１は、図３に示す切替スイッチ１１４ａ１〜１１４ｃ３をつまみ１４０により切り替えられるものである。このようにすることで、制御部２１０により切替スイッチ１１４ａ１〜１１４ｃ３が切り替えられる場合に比べて安価に製造することができる。この場合、第１の電圧変圧部１１１は、つまみ１４０と、手動スイッチ１４１と、第１〜第３の単巻トランス１１３ａ〜１１３ｃと、を備える筐体から構成されてもよい。
【００４３】
上述の実施の形態では、第１〜第３の電圧変圧部１１１〜１３１が、交流電源３００から出力された２００Ｖ、５０Ｈｚの交流電圧を変圧する例について説明したが、交流電源３００から出力される電圧は２００Ｖに限定されず、例えば１００Ｖであってもよい。また、周波数は５０Ｈｚに限定されず、例えば６０Ｈｚであってもよい。
【００４４】
上述の実施の形態では、送風システム１が第１〜第３の送風機１１０〜１３０を備える例について説明したが、第１〜第３の送風機１１０〜１３０を単独で用いてもよい。
【００４５】
上述の実施の形態では、成長点検出部２１１が、画像中で作物Ｓとして検出した最も高い部分を成長点Ｐとして検出する例について説明したが、成長点検出部２１１は、最も高い部分から一定長さ低い部分を成長点Ｐとして検出してもよい。
【００４６】
上述の実施の形態では、成長点検出部２１１が、検知部２２０により撮像された作物Ｓの画像から作物Ｓの成長点Ｐの高さを検出する例について説明したが、成長点検出部２１１は、作物Ｓの成長点Ｐの高さを検出できればよく、例えば、図７に示すように、送風システム１は、施設園芸ハウスの天井４００に配置された距離計２３０を備え、成長点検出部２１１は、距離計２３０から作物Ｓまでの距離に基づいて、作物Ｓの成長点Ｐの高さを検出してもよい。
【００４７】
本発明は、本発明の広義の精神と範囲を逸脱することなく、様々な実施形態及び変形が可能とされるものである。また、上述した実施形態は、本発明を説明するためのものであり、本発明の範囲を限定するものではない。つまり、本発明の範囲は、実施形態ではなく、請求の範囲によって示される。そして、請求の範囲内及びそれと同等の発明の意義の範囲内で施される様々な変形が、本発明の範囲内とみなされる。
【符号の説明】
【００４８】
１  送風システム
１１０  第１の送風機
１１１  第１の電圧変圧部
１１２  第１のモータ
１１２ｈ  羽根車
１１３ａ  第１の単巻トランス
１１３ｂ  第２の単巻トランス
１１３ｃ  第３の単巻トランス
１１４ａ  第１の切替スイッチ群
１１４ｂ  第２の切替スイッチ群
１１４ｃ  第３の切替スイッチ群
１１４ａ１〜１１４ｃ３  切替スイッチ
１１５ａ〜１１５ｃ  第１の入力端
１１６ａ〜１１６ｃ  第１のタップ
１１７ａ〜１１７ｃ  第２のタップ
１１８ａ〜１１８ｃ  第２の入力端
１２０  第２の送風機
１２１  第２の電圧変圧部
１２２  第２のモータ
１２２ｈ  羽根車
１３０  第３の送風機
１３１  第３の電圧変圧部
１３２  第３のモータ
１３２ｈ  羽根車
１４０  つまみ
１４１  手動スイッチ
２１０  制御部
２１１  成長点検出部
２１２  風量制御部
２２０  検知部
２３０  距離計
３００  交流電源
４００  天井
Ｓ  作物
Ｐ  成長点
【図１】
2019152123.tif 000004
【図２】
2019152123.tif 000005
【図３】
2019152123.tif 000006
【図４】
2019152123.tif 000007
【図５】
2019152123.tif 000008
【図６Ａ】
2019152123.tif 000009
【図６Ｂ】
2019152123.tif 000010
【図７】
2019152123.tif 000011